【手続補正書】
【提出日】平成20年1月29日(2008.1.29)
【手続補正１】
【補正対象書類名】特許請求の範囲
【補正対象項目名】全文
【補正方法】変更
【補正の内容】
【特許請求の範囲】
【請求項１】
アプリケーションプログラムを実行するサーバと、前記サーバに前記アプリケーションプログラムの実行の指示を与え、当該サーバから実行結果を受け取るクライアントと、前記クライアントを認証する認証サーバとがネットワークで接続されたシステムにおいて、前記クライアントに接続されたデバイスを、前記サーバから制御するデバイス管理システムであって、
前記クライアントは、当該クライアントに接続しているデバイスのデバイスドライバとデータを送受信するとともに前記サーバとの間で当該データを送受信するデバイス管理手段を備え、
前記認証サーバは、当該デバイス管理システム内の各デバイスの利用権限を管理するデバイス情報保持手段を備え、
前記サーバは、当該サーバ内で動作するアプリケーションと、前記デバイス管理手段との間で前記ネットワークを介して行われるデータの送受信を、前記デバイス情報保持手段に保持されている前記利用権限に従って、制御する仮想デバイス管理手段を備えること
を特徴とするデバイス管理システム。
【請求項２】
請求項１に記載のデバイス管理システムであって、
前記デバイス管理手段は、前記デバイスが接続された際、当該デバイスを特定する情報であるデバイス情報を前記認証サーバに送信し、
前記認証サーバは、予め設定された前記各デバイスの利用権限を保持するポリシー保持手段をさらに備え、
前記デバイス情報を受け取ると、前記ポリシー保持手段に保持されている情報に従って、前記デバイス情報保持手段に前記受け取ったデバイス情報で特定されるデバイスの利用権限を登録すること
を特徴とするデバイス管理システム。
【請求項３】
請求項１〜２のいずれか１項に記載のデバイス管理システムであって、
前記クライアントは、前記サーバにアクセス要求を送信し、
前記サーバが前記アクセス要求を受け取ると、当該サーバが備える仮想デバイス管理手段は、前記デバイス情報保持手段を参照し、前記アクセス要求の送信元のクライアントの利用者が利用権限を有するデバイスが接続されているクライアント装置が備えるデバイス管理手段との間に通信路を形成することにより、前記制御を行うこと
を特徴とするデバイス管理システム。
【請求項４】
請求項３に記載のデバイス管理システムであって、
前記仮想デバイス管理手段は、前記サーバが前記アクセス要求を受け取ると、前記デバイス情報保持手段を参照する前に、前記認証サーバに、当該デバイス情報保持手段の情報を更新する更新指示を送信し、
前記認証サーバは、前記更新指示を受け取ると、前記ネットワークに接続されているクライアントに対し、前記デバイス情報とともに当該デバイスの現在の使用状況を示す情報であるデバイス状態情報の取得を指示し、指示に対して返信された前記デバイス情報および前記デバイス状態情報に従って、前記デバイス情報保持手段の情報を更新し、
前記クライアントが前記デバイス情報および前記デバイス状態情報の取得の指示を受け取ると、当該クライアントが備える前記デバイス管理手段は、当該クライアントに接続されているデバイスの前記デバイス情報および前記デバイス状態情報を取得して前記認証サーバに返信すること
を特徴とするデバイス管理システム。
【請求項５】
請求項４に記載のデバイス管理システムであって、
前記デバイス情報保持手段は、各デバイスについて排他制御の必要の有無および各デバイスの現在の使用状況をさらに保持し、
前記仮想デバイス管理手段は、前記サーバが前記アクセス要求を受けた際、当該利用要求の要求元が利用権限を有するデバイスが前記排他制御が必要なものであって、前記使用状況が他の利用者に占有されていることを示すものである場合、前記使用状況が当該占有が終わったことを示すものに更新されてから、当該デバイスが接続されているクライアントの前記デバイス管理手段との間に通信路を形成すること
を特徴とするデバイス管理システム。
【請求項６】
請求項３〜５のいずれか１項に記載のデバイス管理システムであって、
前記クライアントは、ユーザインタフェースを備え、
当該ユーザインタフェースを介してユーザからユーザを特定する情報および暗証番号を前記アクセス要求として入力を受付、前記サーバに送信すること
を特徴とするデバイス管理システム。
【請求項７】
請求項３〜６のいずれか１項に記載のデバイス管理システムであって、
前記クライアントは、前記デバイス情報とともに、当該デバイスを利用する要求であるデバイス利用要求を前記サーバに送信し、
前記仮想デバイス管理手段は、当該仮想デバイス管理手段を備える前記サーバが前記アクセス要求を受信すると、当該アクセス要求で特定されるデバイスの動作を確認する動作確認指示を前記通信路を介して当該デバイスが接続されているクライアントが備えるデバイス管理手段に送信する動作確認指示手段と、
前記通信路を用いた通信が正常に行われているか否かを監視する通信状態監視手段と、
前記動作確認指示に対する返信が、動作状態が不正であることを示すものである場合、または、前記通信状態監視手段において、前記通信が正常に行われていないことが前記監視により検出された場合、前記認証サーバにその旨通知する不正通知手段と、をさらに備えること
を特徴とするデバイス管理システム。
【請求項８】
請求項７に記載のデバイス管理システムであって、
前記デバイス管理手段は、
前記通信路形成後、前記通信路を介しての通信の状態および当該デバイス管理手段を備えるクライアントに接続されているデバイスの動作状態とを監視する監視手段と、
前記監視により、不正な状態であることが検出された場合、前記認証サーバにその旨通知する第二の不正通知手段と、をさらに備えること
を特徴とするデバイス管理システム。
【請求項９】
請求項７および８いずれか１項に記載のデバイス管理システムであって、
前記認証サーバは、前記通知手段または前記第二の不正通知手段から不正な状態である旨の通知を受けた場合、当該不正な状態にあるデバイスおよび不正な状態にある通信路が通信対象としているデバイスを、前記デバイス情報保持手段から削除すること
を特徴とするデバイス管理システム。
【請求項１０】
請求項１〜９いずれか１項に記載のデバイス管理システムであって、
前記デバイス管理手段、前記仮想デバイス管理手段、および、前記認証サーバは、それぞれ、送受信したデータおよびイベントをログとして記録するログ保持手段を備え、
前記認証サーバは、自身のログ保持手段に記録されたログと、前記デバイス管理手段のログ保持手段に記録されたログと、前記仮想デバイス管理手段のログ保持手段に記録されたログとを、収集して表示する表示手段をさらに備えること
を特徴とするデバイス管理システム。
【請求項１１】
請求項１０に記載のデバイス管理システムであって、
前記認証サーバは、前記通知手段または前記第二の不正通知手段から不正な状態である旨の通知を受けた場合、当該通知を、前記認証サーバのログ保持手段に保持すること
を特徴とするデバイス管理システム。
【請求項１２】
請求項２〜１１いずれか１項に記載のデバイス管理システムであって
前記仮想デバイス管理手段は、現時点で当該デバイス管理システムで利用可能なデバイスの前記デバイス情報を表示する第二の表示手段をさらに備えること
を特徴とするデバイス管理システム。
【請求項１３】
請求項１〜１２いずれか１項に記載のデバイス管理システムであって、
前記ネットワークに接続するインタフェースを備える第二のデバイスをさらに備え、
前記第二のデバイスは、前記サーバとの間でデータの送受信を行う第二のデバイス管理手段と、
当該第二のデバイスが前記ネットワークに接続された際、当該デバイスの前記デバイス情報を前記認証サーバに送信するデバイス接続手段と、
を備えること
を特徴とするデバイス管理システム。
【請求項１４】
請求項１３に記載のデバイス管理システムであって、
前記第二のデバイスは、当該第二のデバイスの利用者を認証する情報を取得し、前記認証サーバに送信する認証手段をさらに備えること
を特徴とするデバイス管理システム。